(57)【要約】【課題】高齢化に伴い、だんだん頻尿となってきます。トイレが不自由な場所ではお年寄りにとって（病人とっても同様）尿の排泄が一番の問題です。この問題を解決するには、今現在、オムツだけです。しかし、小便がそのまま残り、（技術により、小便を固体化にすることがあるとしても）トイレが行かないと、オムツが替えられない、時間がたつほど、不便を感じます。【解決手段】弾力性を有する特殊充気パンツを使用。充気により、尿を漏らすことを防ぎ、吸出ポンプでパンツに溜めている小便を吸出して携帯貯便器に入れ、更に携帯貯便器により、尿を保存します。尿を吸出することにより、体の負担を軽くし、携帯貯便器の交換により、長時間トイレかオムツを交換する場所がなくても、人目を気にせずに、尿を捨てることができる。【選択図】図１
2010259739.tif 000002
【特許請求の範囲】
【請求項１】
特殊充気パンツは、（空気入れ）充気ポンプを使用し、充気パンツに充気する。充気エリア▲１▼により、尿をパンツ以外の部分（太股に沿って）の漏らすことを防ぐ。充気エリア▲２▼により、パンツ自体を体の皮膚に密着し、尿をパンツの内部でも余計に濡らさずに限られた空間▲５▼に溜めさせ、吸出されやすいように準備する。排泄が終了次第、放気すれば、パンツが緩む形に戻り、体（皮膚）も自然に戻り、不快感が解消する。
尿の吸出し管を特殊充気パンツに内蔵することにより、吸出経路を確保する。携帯型とする本発明は、利用しやすさも重点的に考量し、パンツにある吸出し管と吸出ポンプ本体の吸入管を簡単に接続できるように設計した。
尿の吸出し管を特殊充気パンツに内蔵することと充気方法により尿を漏らすことを防ぐことを特徴とする特殊充気パンツである。
【発明の詳細な説明】
【技術分野】
【０００１】    本発明により、携帯式尿処理設備が完成できる為、男女問わず、頻尿の方に適応する。トイレの不便な場所で、尿なら誰でも簡単に使える福祉的な衛生設備に関する。
【背景技術】
【０００２】    今まで、数多く多様なオムツ（特開２００７−１１３１６１）（特開２００８−５３１１８１）などが発明されており、技術の進歩により、使いやすさはありますが、一枚のオムツはやはり尿の吸収量に限度がある。そして、高齢化社会では、多量のオムツのごみ発生も環境的な負担となる。又、吸出型の屎尿処理設備（特開２００１−１１２８０２）（特開２００５−３３４５４５）などは携帯できない、購入費も安くないため、普及できない現状である。【０００３】    吸出型のオムツカバー（再公表０７−０３４７７４）などは携帯できないと同時に装着後の漏れ防止には問題があると予想できる。【０００４】    使いやすい携帯式尿処理設備は社会的に求められたものである。
【先行技術文献】
【特許文献】
【０００５】
【特許文献１】特開２００７−１１３１６１公報
【０００６】
【特許文献２】特開２００８−５３１１８１公報
【０００７】
【特許文献３】特開２００１−１１２８０２公報
【０００８】（特開２００８−０４３５０１）
【特許文献４】特開２００５−３３４５４５公報
【０００９】
【特許文献５】再公表０７−０３４７７４公報
【００１０】
【非特許文献１】（社）発明協会著「特許ワークブック」２００８年版
【発明の概要】
【発明が解決しようとする課題】
【００１１】    本発明により、携帯式尿処理設備ができた為、場所を問わず、長時間トイレに行かなくでも、排泄ができる。オムツ交換の手間もなくせる。【００１２】    本発明により、携帯式尿処理設備ができた為、オムツの節約により経済的な社会負担を軽くできる。オムツごみの減量により、環境的な負担を軽くできる。【００１３】  また、寝たきりの病人以外、誰でも手軽く使用できる携帯式小便処理設備は、もちろん老人ホームなど施設も使用でき、介護者、看護師、看護者、介助者の負担を軽くすることができる。
【課題を解決するための手段】
【００１４】    本発明の充気パンツは、充気できるエリア▲３▼▲４▼と尿を溜めるエリア▲５▼と通気性のよい布エリア▲１▼▲２▼で組み合わせたパンツである。▲１▼は布を基本としてゴムを有するバンドである。▲２▼は通気性のよい生地で製作したパンツの一部。▲３▼は空気を入れても漏れない材料で二重構造を有するパンツの一部とするエリアである。▲４▼はゴムなど空気が漏れない材料でできる管状な部分である▲５▼は尿を溜めても漏れない材料で作ったパンツの底部エリアである。【００１５】    排泄する際は、携帯式充気ポンプにより▲３▼と▲４▼に空気を入れる。▲３▼の膨張により、パンツは皮膚と密着することができ、尿はパンツ区域内余計なエリアに流れない。自然力により尿が▲５▼に溜める。▲４▼の膨張によりパンツの足穴部分は太股と密着することができ、尿はパンツ以外の区域に（太股に沿って）漏れない。【００１６】    充気したままの状況で、携帯式吸出しポンプを作動させ、排泄を始める。尿は携帯式吸出しポンプの吸引力により内蔵されている吸出し管を通って携帯貯便器に入る。【００１７】    排泄行為が終了した時点で、少し時間を置いて、吸出しポンプを停止させる。【００１８】    排泄行為が終了した時点で、少し時間を置いて、充気ポンプを開放して、パンツを通常の状態に戻り、充気エリア部分と体の皮膚の密着程度が緩む状況に戻り、肌の不快感やムレによる皮膚病を予防する。【００１９】    尿が携帯貯便器に入れることにより特に小便間隔時間が短く、小便量が少ない人が長時間トイレに行かなくでも小便を我慢せずに生活ができる。吸出しポンプを停止すれば携帯式貯便器は簡単に取替えられる。尿を捨てられる場所に携帯貯便器にある尿を処分する。携帯貯便器自体が洗浄して、繰り返し使える。
【発明効果】
【００２０】  携帯式小便処理設備は、寝たきりの病人以外、誰でも手軽く使用できる。吸収量に限度のあるオムツより排泄行為の自由度が高める効果がある。
【００２１】    行動不便者を含め、老人、病患者など多少でも自力で生活できる人なら、携帯式尿処理設備を使うことにより、介護者、看護師、看護者、介助者の負担を軽くすることができる。福祉社会の効率化を高める効果がある。
【００２２】  携帯式尿処理設備の使用者がオムツの使用量を減らせる。オムツを節約できるため、経済効果があると同時に環境保護効果もある。
【図面の簡単な説明】
【００２３】
【図１】充気パンツ構成正面図
【図２】充気パンツ構成側面図
【発明を実施するための形態】
【００２４】  充気パンツと皮膚と接触部分には皮膚病を防ぐため、布製の層が必要とする。
【００２５】  充気パンツに内蔵した吸出し管は管状部▲４▼に沿って腰部まで製作する、充気動作と同時に吸出し管の形が吸出しやすい形になる。
【００２６】  携帯式充気ポンプと携帯式尿吸出ポンプは市販品でよい。勿論、当発明の充気パンツとセットして商品化にする予定。
【産業上の利用可能性】
【００２７】  本発明により、お年寄り（頻尿の方含む）の、トイレのない長距離バスの搭乗が可能となる。真冬の夜中、起きたくない人の排泄行為を可能とする。トイレが少ない地域への外出が可能となる。ある程度自力生活できる老人・患者の排泄行為自由度を高めることを可能とする。【００２８】  市販オムツでも、上記機能があるが、▲１▼吸収量に限度がある為、長時間ほど不快感を感じる。▲２▼オムツ交換が簡単にできない（交換場所は限られる）為、本発明の携帯式貯便器使用はより使いやすい（排泄行為をしないときは、ポンプセットを外せる為）。【００２９】    オムツ嫌いの若者（頻尿の方）の使用も期待できる。【００３０】〔発明のポイント〕
福祉関連設備
目的・機能：排尿
手段：携帯式・吸出式
関係設備：▲１▼携帯式空気いれポンプ
▲２▼携帯式尿吸出しポンプ
▲３▼携帯式尿貯便器
▲４▼空気いれポンプ用チューブ
▲５▼尿吸出しポンプ用チューブ
進歩性：一番近い発明（再公表０７−０３４７７４）と比較した結果として
▲１▼尿を漏らさない方法はより確実であると判断した。
▲２▼携帯を目的とする本発明はより普及しやすいと判断した。
よって、特許申請を認めて頂きたいです。
【符号の説明】
【００３１】  ▲１▼布地であり、腰はゴムを有するバンドである
▲２▼通気性のよい生地で製作したパンツの一部。
▲３▼空気を入れても空気が漏れない材料で二重構造を有するパンツの一部。
▲４▼ゴムなど空気が漏れない材料でできる管状の部分
▲５▼尿を溜めても漏れない材料で作ったパンツの底部エリアである。
▲６▼尿を吸出するための柔軟性がある樹脂管である。
▲７▼空気を入れるための柔軟性がある樹脂管である。
【図１】
2010259739.tif 000003
【図２】
2010259739.tif 000004